(57)【要約】【課題】表示板の意匠の色を意図する色で表示する。【解決手段】表示装置は、回路基板４０と、回路基板４０上に設けられ、光を出射する目盛・文字部照明用光源３０と、外周側に位置する第１の意匠部１１ａを備える表示板１０と、目盛・文字部照明用光源３０と対向して位置し、表示板１０への光の一部を遮光する遮光部６５ｇと、を備える。遮光部６５ｇには遮光部６５ｇを貫通する第１の穴６７が形成されている。第１の穴６７は、自装置外周壁の内側に形成された反射面６０ｄに向けて目盛・文字部照明用光源３０から出射された光の少なくとも一部を通過させるように形成されている。反射面６０ｄは、第１の穴６７を通過した光を第１の意匠部１１ａに向けて反射させる。【選択図】図５
2018044832.tif 000002
【特許請求の範囲】
【請求項１】
基板と、
前記基板上に設けられ、光を出射する光源と、
外周側に位置する第１の意匠部を備える表示板と、
前記光源と対向して位置し、前記表示板への前記光の一部を遮光する遮光部と、を備え、
前記遮光部には前記遮光部を貫通する第１の穴が形成され、
前記第１の穴は、自装置外周壁の内側に形成された反射面に向けて前記光源から出射された前記光の少なくとも一部を通過させるように形成され、
前記反射面は、前記第１の穴を通過した前記光を前記第１の意匠部に向けて反射させる、
ことを特徴とする表示装置。
【請求項２】
前記表示板は、前記第１の意匠部の内周側に位置する第２の意匠部を備え、
前記遮光部には前記遮光部を貫通する第２の穴が形成され、
前記第２の穴は、前記光源から出射され、前記遮光部の裏面で反射した後、前記基板で反射した光を前記第２の意匠部に向けて通過させるように形成される、
ことを特徴とする請求項１に記載の表示装置。
【請求項３】
前記表示板の前記第２の意匠部は、前記基板に沿う方向に形成され、
前記表示板の前記第１の意匠部は、前記表示板の外周に向かって前記光源とは反対側に傾斜している傾斜面に形成されている、
ことを特徴とする請求項２に記載の表示装置。
【請求項４】
前記光源から前記第１の意匠部に到達する光は、前記遮光部と前記基板との間で反射した後に前記第１の穴を通過して前記第１の意匠部に到達する第１の光と、前記第１の穴を通過して前記反射面で反射した後に前記第１の意匠部に到達する第２の光と、を含み、
前記第１の意匠部への前記第２の光の入射角は前記第１の意匠部への前記第１の光の入射角よりも小さくなるように設定されている、
ことを特徴とする請求項３に記載の表示装置。
【請求項５】
前記第２の穴は、前記基板の厚さ方向から見て、前記光源を中心とした第１の曲率を有する円弧状に形成され、
前記第１の穴は、前記基板の厚さ方向から見て、前記光源を中心とした前記第１の曲率よりも小さい第２の曲率を有する円弧状に形成される、
ことを特徴とする請求項２から４の何れか１項に記載の表示装置。
【請求項６】
前記遮光部は、前記第１の穴の縁部に位置し、前記光源からの光を避けるように当該光に沿う傾斜面を備える、
ことを特徴とする請求項１から５の何れか１項に記載の表示装置。
【請求項７】
基板と、
前記基板上に設けられ、光を出射する光源と、
意匠部を備える表示板と、
前記光源と対向して位置し、前記表示板への前記光の一部を遮光する遮光部と、を備え、
前記遮光部には、前記遮光部を貫通するとともに、前記光源から出射され、前記遮光部の裏面で反射した後、前記基板で反射した光を前記意匠部に向けて通過させる穴が形成され、
前記基板には、前記遮光部に反射した前記光を受ける箇所に、白色、灰色、黒色の何れかの色のコーティング層が形成されている、
ことを特徴とする表示装置。
【請求項８】
前記基板には、前記光源の他に電子部品が実装されるとともに、前記電子部品の部品名称を表すインク層が形成され、
前記コーティング層は、前記インク層と同一の色および材質からなる、
ことを特徴とする請求項７に記載の表示装置。
【発明の詳細な説明】
【技術分野】
【０００１】
本発明は、表示装置に関する。
【背景技術】
【０００２】
従来の表示装置として、例えば、下記特許文献１に開示された車両用計器がある。特許文献１に開示された車両用計器は、目盛り及び数値などの意匠を備える表示板と、表示板を照明する光源と、を備えている。特許文献１に開示された車両用計器は、光源からの光が直接表示板を照明しないように遮光部を備え、遮光部を取り巻くように設けた第３反射面で反射させた第１反射光で、遮光部の影となる部分を照明する。遮光部は、第１反射面を備えて光源からの光を外側に向けて反射する。第１反射面で反射した光は、第１反射面と離間して備えた第２反射面で反射する。そして、第２反射面で反射した光で表示板が照明される。これにより、特許文献１に開示された車両用計器は、表示板の照明むらを少なくしている。
【先行技術文献】
【特許文献】
【０００３】
【特許文献１】特開２０１１−０９９７６５号公報
【発明の概要】
【発明が解決しようとする課題】
【０００４】
特許文献１に記載の車両用計器には、複数の反射面を形成する必要がある。反射面の数を減らすために、装置を構成する回路基板を反射面の一つとして利用することが考えられる。
【０００５】
しかし、回路基板は、緑色のソルダーレジストでコーティングされている場合が多い。このため、回路基板の表面で反射された光は、色調が緑色にシフトする。したがって、反射面として回路基板の表面を利用すると、回路基板の色の影響を受けて緑色にシフトした光によって照明された表示板の色が、意図する表示板の色とは異なる色になってしまうという問題がある。
【０００６】
本発明は上記問題点に鑑みてなされたものであり、表示板の色を意図する色で表示可能な表示装置を提供することを目的とする。
【課題を解決するための手段】
【０００７】
上記目的を達成するため、本発明の第１の観点に係る表示装置は、  
基板と、
前記基板上に設けられ、光を出射する光源と、
外周側に位置する第１の意匠部を備える表示板と、
前記光源と対向して位置し、前記表示板への前記光の一部を遮光する遮光部と、を備え、
前記遮光部には前記遮光部を貫通する第１の穴が形成され、
前記第１の穴は、自装置外周壁の内側に形成された反射面に向けて前記光源から出射された前記光の少なくとも一部を通過させるように形成され、
前記反射面は、前記第１の穴を通過した前記光を前記第１の意匠部に向けて反射させる、
ことを特徴とする。
【０００８】
上記目的を達成するため、本発明の第２の観点に係る表示装置は、
基板と、
前記基板上に設けられ、光を出射する光源と、
意匠部を備える表示板と、
前記光源と対向して位置し、前記表示板への前記光の一部を遮光する遮光部と、を備え、
前記遮光部には、前記遮光部を貫通するとともに、前記光源から出射され、前記遮光部の裏面で反射した後、前記基板で反射した光を前記意匠部に向けて通過させる穴が形成され、
前記基板には、前記遮光部に反射した前記光を受ける箇所に、白色、灰色、黒色の何れかの色のコーティング層が形成されている、
ことを特徴とする。
【発明の効果】
【０００９】
本発明によれば、表示板の色を意図する色で表示することができる。
【図面の簡単な説明】
【００１０】
【図１】本発明の表示装置の一実施形態に係る正面図である。
【図２】本発明の表示装置の一実施形態に係る概略断面図である。
【図３】本発明の表示装置の一実施形態に係る表示板を取り除いて示す平面図である。
【図４】本発明の表示装置の一実施形態に係る遮光部の説明図である。
【図５】本発明の表示装置の一実施形態に係る遮光部の説明図である。
【図６】目盛・文字部照明用光源からの光が表示板に到達するまでについて説明するための図である。
【発明を実施するための形態】
【００１１】
本発明の一実施形態に係る表示装置について、図１〜図５を参照しながら詳細に説明する。図１に示すように、表示装置１は、搭載される車両に関する各種情報を報知する、例えば自動車や二輪車等の車両用の計器である。本例では、表示装置１は、指針式のスピードメータで構成される。簡単に説明すると、表示装置１は、表示板１０の目盛部１１ａに対する指針２０の回転位置により車速を視認者に伝える。また、表示装置１は、表示板１０の意匠１１を点灯させることができる。なお、以下の説明では、視認者が表示装置１を正面視したときの手前側を「表」といい、奥側を「裏」という。
【００１２】
詳しくは、表示装置１は、図１および図２に示すように、指針２０と、駆動部５０と、回路基板４０と、ケース６０と、目盛・文字部照明用光源３０と、指針用光源３１と、警告灯シンボル部用光源３２と、表示板１０と、を備えている。なお、表示装置１は、これら各構成に加えて、ここでの詳細図示は省略するが、これら各構成を収容する計器用筐体を備える。当該計器用筐体は、例えば表示装置１の表側に配置される表側筐体と、表示装置１の裏側に配置される裏側筐体とに分割形成されており、表側筐体には、その表側開口を塞ぐように透明又は半透明の透視パネルが嵌め込まれている。そして、視認者は、透視パネル越しに指針２０及び表示板１０の意匠１１を視認（透視）することが出来る。
【００１３】
（表示板１０）
表示板１０には、図１に示すように、数字および記号からなる意匠１１が施されている。詳しくは、表示板１０は、透光性の樹脂からなる基材（図示しない）と、その基材の裏面（または表面）に意匠１１を表す数字等を除いて形成される黒色系の遮光層（図示しない）と、からなる。これにより、表示板１０は、各光源３０〜３２からの光を表示板１０の裏面で受けると、意匠１１を表す光を表示板１０の表側に出射する。意匠１１は、第１の意匠部（意匠部）としての目盛部１１ａと、第２の意匠部（意匠部）としての文字部１１ｂと、警告灯シンボル部１１ｃと、を備える。目盛部１１ａは、表示板１０の外周に沿って等角度間隔で配置される目盛により構成される。文字部１１ｂは、目盛部１１ａの内周側に位置し、複数の目盛毎に配置される数字、本例では車速により構成される。警告灯シンボル部１１ｃは、目盛部１１ａの内周側に位置し、複数のインジケータ表示部から構成される。図２に示すように、表示板１０の目盛部１１ａは径方向外側に向かうにつれて表側に傾斜している。表示板１０の文字部１１ｂは回路基板４０と平行をなしている。
【００１４】
（回路基板４０）
回路基板４０は、例えば、ガラスエポキシ樹脂（Glass Fiber Reinforced Plastics）からなる絶縁性を有する板状の基材に各種配線がプリントされている。回路基板４０には、表示装置１の動作を制御する電子部品の一例である制御部（図示せず）が実装されている。この制御部は、表示装置１の外部装置（例えば、車両のＥＣＵ（Electronic Control Unit））から車両の速度等の車両情報を取得し、取得した情報に基づいて、各光源３０〜３２を点灯／消灯させ、駆動部５０を動作させる。
【００１５】
（駆動部５０）
駆動部５０は、例えば、ステッピングモータから構成され、上記制御部の制御のもとで、回転軸５０ａを回転させる。駆動部５０は、回路基板４０の裏側に実装されている。回転軸５０ａは、回路基板４０の基材に設けられた穴を貫通し、回路基板４０の表側に配置されている。
【００１６】
（指針２０）
指針２０は、図２に示すように、その回転軸２０ａを中心として回転する回転中心部２０ｂと、回転中心部２０ｂと一体に形成された指示部２０ｃと、を備える。指針２０の回転中心部２０ｂは、駆動部５０の回転軸５０ａと同軸上で回転するように、互いに連結されている。指示部２０ｃは、回転中心部２０ｂから径方向に延びるように設けられ、表示板１０の文字部１１ｂや目盛部１１ａを指示する部分である。指針２０は、上記制御部の制御のもとで、駆動部５０の駆動により、車両の速度に応じた位置に回転する。また、回転中心部２０ｂの裏面には、受光面２０ｅが形成されている。受光面２０ｅは、回転中心部２０ｂの裏面であり、指針用光源３１からの光を受光し、指示部２０ｃの先端方向に光を導く。これにより、指針２０が点灯する。
【００１７】
（光源３０〜３２）
各光源３０〜３２は、ＬＥＤ（Light Emitting Diode）から構成され、回路基板４０の表面４１に実装されている。詳しくは、複数の指針用光源３１は、指針２０を発光させるためのものであり、駆動部５０の回転軸５０ａの周囲に配置される。複数の警告灯シンボル部用光源３２は、表示板１０の警告灯シンボル部１１ｃを発光させるためのものであり、指針用光源３１よりも外周側に配置されている。複数の目盛・文字部照明用光源３０は、表示板１０の文字部１１ｂおよび目盛部１１ａを発光させるためのものであり、警告灯シンボル部用光源３２よりも外周側に配置されている。
【００１８】
（コーティング層４２）
回路基板４０の表面４１には、図２に示すように、光Ｌの色の変化を抑制するコーティング層４２および電子部品の部品名称を表すインク層４３が形成されている。コーティング層４２は、彩度を有さない色、例えば、白色、灰色、黒色の何れかの色のインクからなる。コーティング層４２は、各目盛・文字部照明用光源３０の周囲に、例えば円形に形成されている。コーティング層４２は、目盛・文字部照明用光源３０から出射されて後述する遮光部材６５で反射する光Ｌを受ける範囲に形成される。このコーティング層４２を彩度のない色にする理由は、表示板１０の色が回路基板４０の色の影響を受けて意図しない色になることを低減するためである。このコーティング層４２は、例えば、回路基板４０の表面４１を覆う緑色のソルダーレジストの上にシルク印刷により形成されている。
インク層４３は、回路基板４０の表面４１に実装される電子部品の略称を含む名称を示す。インク層４３は、例えば、コーティング層４２と同一の材質、色および厚さにて形成される。よって、インク層４３およびコーティング層４２は、回路基板４０の製造時の同一工程において同時に形成することができる。
【００１９】
（ケース６０）
ケース６０は、図２に示すように、各光源３０〜３２を収容する中ケースを構成する。ケース６０は、例えば、遮光性のある白色のポリプロピレン(Polypropylene)樹脂から構成されている。ケース６０は、回路基板４０の表面４１に設置されている。詳しくは、ケース６０は、筒状部６０ａと、内遮光壁６０ｂと、外遮光壁６０ｃと、遮光部材６５と、を備える。
【００２０】
筒状部６０ａは、指針２０の回転軸２０ａの軸線を中心とする円筒状に形成されている。筒状部６０ａの内部空間には指針用光源３１が位置している。筒状部６０ａは、指針用光源３１からの光を指針２０の受光面２０ｅへと導く。筒状部６０ａは、指針用光源３１からの光が目盛・文字部照明用光源３０や警告灯シンボル部用光源３２からの光と混ざらないようにするための仕切り壁として機能する。
【００２１】
内遮光壁６０ｂは、図２および図３に示すように、筒状部６０ａの外側に位置し、指針２０の回転軸２０ａの軸線を中心とする円筒状をなしている。筒状部６０ａと内遮光壁６０ｂとの間には、警告灯シンボル部用光源３２がそれぞれ内在する複数の導光空間６２が形成されている。警告灯シンボル部用光源３２からの光は、導光空間６２を介して表示板１０の警告灯シンボル部１１ｃに導かれる。また、外遮光壁６０ｃは、内遮光壁６０ｂの外側に位置し、指針２０の回転軸２０ａの軸線を中心とする上端部が広がった円筒状をなす。具体的には、外遮光壁６０ｃは、回路基板４０から遮光部材６５が位置する高さまでは、回路基板４０に対して略垂直に形成され、遮光部材６５が位置する高さから表示板１０に至る部分は、表示板１０の外周に向かって指針用光源３１から離れるように傾斜して形成されている。また、図５に示すように、外遮光壁６０ｃ（自装置外周壁）の内側には、目盛・文字部照明用光源３０からの光を目盛部１１ａに向けて反射する反射面６０ｄが形成されている。反射面６０ｄは、表側に向かうにつれて回路基板４０の径方向外側に傾斜している。
【００２２】
図２に示すように、内遮光壁６０ｂと外遮光壁６０ｃとの間には、表示板１０の目盛部１１ａおよび文字部１１ｂを照明するための円環状の照明空間６１が形成される。照明空間６１には、遮光部材６５および目盛・文字部照明用光源３０が設けられている。遮光部材６５は、照明空間６１における回路基板４０と表示板１０の間に位置し、回路基板４０に沿う方向に延びている。遮光部材６５は、目盛・文字部照明用光源３０からの光が表示板１０を直接照射しないように形成されている。この遮光部材６５は、図３に示すように、指針２０の回転中心部２０ｂを囲むように配置される複数の遮光部６５ｇを備える。遮光部６５ｇは、目盛・文字部照明用光源３０に対応してその数と同数、本例では６つ設けられる。図２に示すように、遮光部６５ｇは、対応する目盛・文字部照明用光源３０の上方に位置する。
【００２３】
遮光部６５ｇは、図４に示すように、円板部６５ｃと、円板部６５ｃの裏面中央に位置する凸状部６５ｂと、を備えている。また、円板部６５ｃの裏面は、目盛・文字部照明用光源３０からの光を回路基板４０に向けて反射する第１の反射面６５ａを構成する。凸状部６５ｂは、目盛・文字部照明用光源３０側（裏側）に頂点を有する円錐状に形成される。凸状部６５ｂの円錐状の表面は、目盛・文字部照明用光源３０からの光Ｌを回路基板４０に向けて反射する反射面６５ｄを構成する。
【００２４】
遮光部６５ｇには、図３に示すように、遮光部６５ｇを貫通する円弧状の第１の穴６７及び円弧状の第２の穴６６が形成されている。第１の穴６７及び第２の穴６６は、遮光部６５ｇの周方向に沿って配置されている。本例では、２つの第２の穴６６は指針２０の回転中心部２０ｂ側に位置し、１つの第１の穴６７は外遮光壁６０ｃ側に位置する。第１の穴６７の端部と第２の穴６６の端部との間は連結部６８を介して連結されている。第２の穴６６は、目盛・文字部照明用光源３０を中心として第１の曲率を有する。第１の穴６７は、目盛・文字部照明用光源３０を中心として第１の曲率よりも小さい第２の曲率を有する。つまり、このことは、第１の穴６７の仮想中心点Ｃ１は、第２の穴６６の仮想中心点Ｃ２よりも表示板１０の外周に対して内側にあることを意味している。  
【００２５】
また、図５に示すように、遮光部６５ｇは、第１の穴６７の縁部に位置し、目盛・文字部照明用光源３０からの光を避けるようにその光に沿う傾斜面６５ｅ，６５ｆを備える。２つの傾斜面６５ｅ，６５ｆは、第１の穴６７の短手方向に沿って対向する位置に形成されている。傾斜面６５ｅは、第１の穴６７の周縁部のうち目盛・文字部照明用光源３０に近い側であって回路基板４０側に形成される。傾斜面６５ｆは、第１の穴６７の周縁部のうち目盛・文字部照明用光源３０から遠い側に形成される。
【００２６】
（作用）
次に、図６を参照しつつ、目盛・文字部照明用光源３０からの光Ｌが第２の穴６６を通過して文字部１１ｂに到達する際の作用について説明する。
目盛・文字部照明用光源３０からの光Ｌは、遮光部６５ｇの第１の反射面６５ａおよび反射面６５ｄにて回路基板４０に向けて反射される。そして、その光Ｌは、回路基板４０のコーティング層４２にて第２の穴６６に向けて反射される。第２の穴６６を通過した光は文字部１１ｂに到達する。これにより、文字部１１ｂが点灯する。なお、第２の穴６６は、第２の光Ｌ２を通過させないように形成されている。
【００２７】
次に、図５を参照しつつ、目盛・文字部照明用光源３０からの光Ｌが第１の穴６７を通過して目盛部１１ａに到達する際の作用について説明する。ここで、目盛・文字部照明用光源３０から目盛部１１ａに到達する光Ｌは、図５の実線矢印で示す直接に第１の穴６７に向かう第２の光Ｌ２と、図５の破線矢印で示す遮光部６５ｇに向かう第１の光Ｌ１と、を含む。第１の光Ｌ１は、目盛・文字部照明用光源３０からの光Ｌのうち第２の光Ｌ２よりも光の照射角度が小さい光である。言い換えると、目盛・文字部照明用光源３０から出射された光Ｌのうち、第１の反射面６５ａ及び反射面６５ｄに照射された光は、回路基板４０に反射して第１の光Ｌ１となる。一方、第１の反射面６５ａよりも外側に照射された光は、第１の穴６７を通過して第２の光Ｌ２となる。
【００２８】
まず、第１の光Ｌ１について説明する。
目盛・文字部照明用光源３０からの第１の光Ｌ１は、遮光部６５ｇの第１の反射面６５ａおよび反射面６５ｄにて回路基板４０に向けて反射される。そして、その第１の光Ｌ１は、回路基板４０のコーティング層４２にて第１の穴６７に向けて反射される。第１の穴６７を通過した第１の光Ｌ１は目盛部１１ａに到達する。このとき、第１の光Ｌ１は入射角αにて目盛部１１ａに入射する。
【００２９】
次に、第２の光Ｌ２について説明する。
目盛・文字部照明用光源３０からの第２の光Ｌ２は第１の穴６７を通って反射面６０ｄに向かう。反射面６０ｄは、その第２の光Ｌ２を目盛部１１ａに向けて反射させる。これにより、第２の光Ｌ２は目盛部１１ａに到達する。このとき、第２の光Ｌ２は、上記入射角αより小さい入射角βにて目盛部１１ａに入射する。なお、目盛部１１ａへの光の入射角度は小さいほど目盛部１１ａを効率よく点灯させることができる。
【００３０】
以上に説明したように、表示装置１は、回路基板４０と、回路基板４０上に設けられ、光を出射する目盛・文字部照明用光源３０と、外周側に位置する目盛部１１ａを備える表示板１０と、目盛・文字部照明用光源３０と対向して位置し、表示板１０への光の一部を遮光する遮光部６５ｇと、を備える。遮光部６５ｇには遮光部６５ｇを貫通する第１の穴６７が形成される。第１の穴６７は、外遮光壁６０ｃの内側に形成された反射面６０ｄに向けて目盛・文字部照明用光源３０から出射された光Ｌの一部である第２の光Ｌ２を通過させるように形成される。反射面６０ｄは、第１の穴６７を通過した第２の光Ｌ２を目盛部１１ａに向けて反射させる。
この構成によれば、目盛・文字部照明用光源３０からの光Ｌの一部である第２の光Ｌ２は、回路基板４０を反射することなく目盛部１１ａに照射させることができる。よって、回路基板４０の色の影響を受けて表示板１０の色が変化することが抑制される。
特に、表示装置は、上記スピードメータに加えてフューエルメータおよびタコメータを備えることがある。一般的に、フューエルメータおよびタコメータは、上記スピードメータに比べてサイズが小さいことから遮光部を備えず、光源からの光が回路基板を反射することなく直接に表示板に導かれる構成が採用される。よって、このフューエルメータおよびタコメータにおいては回路基板の色の影響を受けづらい。このような構成が異なる複数のメータを備えた表示装置であっても、上記のようにスピードメータの発光色の変化が抑制されることから、複数のメータ毎に発光する色が異なることが抑制される。
【００３１】
表示板１０は、目盛部１１ａの内周側に位置する文字部１１ｂを備える。遮光部６５ｇには遮光部６５ｇを貫通する第２の穴６６が形成される。第２の穴６６は、目盛・文字部照明用光源３０から出射され、遮光部６５ｇの裏面（第１の反射面６５ａおよび反射面６５ｄ）で反射した後、回路基板４０で反射した光を文字部１１ｂに向けて通過させるように形成される。
この構成によれば、目盛・文字部照明用光源３０からの光Ｌにより、目盛部１１ａに加えて文字部１１ｂも点灯させることができる。
【００３２】
表示板１０の文字部１１ｂは、回路基板４０に沿う方向に形成され、表示板１０の目盛部１１ａは、表示板１０の外周に向かって目盛・文字部照明用光源３０とは反対側に傾斜している傾斜面に形成されている。
この構成によれば、立体的な形状をなす目盛部１１ａに反射面６０ｄを介して効率的に目盛・文字部照明用光源３０からの光Ｌを照射することができる。
【００３３】
目盛・文字部照明用光源３０から目盛部１１ａに到達する光Ｌは、第１の穴６７を通過して反射面６０ｄを反射した後に目盛部１１ａに到達する第２の光Ｌ２と、遮光部６５ｇと回路基板４０との間で反射した後に第１の穴６７を通過して目盛部１１ａに到達する第１の光Ｌ１と、を含む。目盛部１１ａへの第２の光Ｌ２の入射角βは目盛部１１ａへの第１の光Ｌ１の入射角αよりも小さくなるように反射面６０ｄが形成されている。
この構成によれば、反射面６０ｄにて反射した第２の光Ｌ２の入射角βを小さく設定することで、より効率的に目盛部１１ａを照明することができる。
【００３４】
遮光部６５ｇは、第１の穴６７の縁部に位置し、第２の光Ｌ２の光路を避けるように光路に沿う傾斜面６５ｅ，６５ｆを備える。
この構成によれば、第１の穴６７の縁部によって第２の光Ｌ２の通過が妨げられることが抑制される。よって、より効率的に目盛部１１ａを照明することができる。
【００３５】
第２の穴６６は、回路基板４０の厚さ方向から見て、目盛・文字部照明用光源３０を中心とした第１の曲率を有する円弧状に形成され、第１の穴６７は、回路基板４０の厚さ方向から見て、目盛・文字部照明用光源３０を中心とした第１の曲率よりも小さい第２の曲率を有する円弧状に形成される。つまり、このことは、第１の穴６７の仮想中心点Ｃ１は、第２の穴６６の仮想中心点Ｃ２よりも表示板１０の外周に対して内側にあることを意味している。
この構成によれば、第１の穴６７が目盛の意匠が配置されている曲率に近い円弧状をなすことで、目盛部１１ａをより効率的に照明することができる。
【００３６】
回路基板４０には、遮光部６５ｇに反射した光を受ける箇所に、白色、灰色、黒色の何れかの色のコーティング層４２が形成されている。
この構成によれば、コーティング層４２により目盛・文字部照明用光源３０からの光Ｌの色が変化することが抑制される。
【００３７】
回路基板４０には、目盛・文字部照明用光源３０の他に電子部品が実装されるとともに、電子部品の部品名称を表すインク層４３が形成され、コーティング層４２は、インク層４３と同一の色および材質からなる。これにより、コーティング層４２は、インク層４３と同一工程で簡単に形成することができる。
【００３８】
（変形例１）
上記の説明では、回路基板４０の表面４１の第１の光Ｌ１の反射する部分に白色、灰色、黒色の何れかの色のコーティング層が形成される場合について説明した。しかし、本発明は、回路基板４０の表面４１に白色、灰色、黒色の何れかの色のコーティング層が形成されていない場合にも適用できる。例えば、回路基板４０の表面４１に緑色のソルダーレジストが形成されている場合である。この場合でも、目盛・文字部照明用光源３０からの光Ｌのうち第２の光Ｌ２は回路基板４０を経ないため、従来に比べて回路基板４０の色の影響を受けて表示板１０の色が変化することが抑制される。
【００３９】
（変形例２）
上記の説明では、目盛・文字部照明用光源３０からの光Ｌのうち第２の光Ｌ２は反射面６０ｄを経て目盛部１１ａに到達していた。しかし、図４に示すように、第２の光Ｌ２が省略されて、第１の光Ｌ１のみにより目盛部１１ａが照射される構成であってもよい。つまり、反射面６０ｄが無い場合である。この場合でも、回路基板４０に彩度の無い色でコーティング層４２が形成されることで回路基板４０の色の影響を受けて表示板１０の色が変化することが抑制される。
【００４０】
上記の説明では、表示装置１を指針式のスピードメータに適用した場合について説明したが、本実施形態に係る表示装置１は、タコメータ、フューエルメータ、温度メータ、バッテリーメータ等の他のメータにも適用できる。また、本実施形態に係る表示装置１の適用範囲は、自動車に使用するメータに限定する必要は無い。例えば、自転車、電車、船舶、飛行機等に使用するメータにも適用できる。
【００４１】
また、上記の説明では、目盛・文字部照明用光源３０を６個で構成する場合について説明したが、表示板１０の意匠１１の配置に応じて目盛・文字部照明用光源３０を設けるようにしても良い。
【００４２】
また、以上の説明では、表示板１０の目盛部１１ａが傾斜する傾斜面に形成されている場合について説明したが、目盛部１１ａの傾斜角度は上記実施形態に限らず、例えば、文字部１１ｂに対して略直交していてもよい。さらに、目盛部１１ａと文字部１１ｂとが同一面に形成されていてもよい。また、文字部１１ｂが傾斜面に形成されていても良い。また、目盛部１１ａ、文字部１１ｂ、警告灯シンボル部１１ｃが段階的に傾斜している傾斜面に形成されていても良い。
【００４３】
また、上記の説明では、第２の意匠部に文字部１１ｂを配置し、第２の意匠部より外側に位置する第１の意匠部に目盛部１１ａを配置する説明をした。しかし、意匠の配置はこれに限定する必要は無い。例えば、警告灯シンボル部１１ｃを第２の意匠部に配置し、目盛部１１ａ及び文字部１１ｂを第１の意匠部に配置するようにしても良い。
【００４４】
また、上記の説明では、インク層４３とコーティング層４２とが同一の材質および色にて形成される説明をしたが、インク層４３とコーティング層４２とが異なる材質、色又は厚さにて形成されてもよい。例えば、コーティング層４２を白色でシルク印刷し、インク層４３を黒色でシルク印刷しても良い。また、インク層４３を省略して、回路基板４０の表面４１の全域にコーティング層４２を形成してもよい。
【００４５】
また、上記の説明では、第１の反射面６５ａ、回路基板４０の表面４１、外遮光壁６０ｃに設けた反射面６０ｄを彩度の無い色で形成する説明をしたが、これらの反射面のいずれかを鏡面で形成するようにしても良い。例えば、アルミニューム等の素材で形成しても良い。
【００４６】
また、上記の説明では、遮光部材６５を設ける場合について説明したが、遮光部材６５を設けない場合でも、回路基板４０の表面４１を彩度の無い色（白色、灰色、黒色）でコーティングすることにより、表示板意匠の色が意図する色と異なる色になることを低減することができる。
【符号の説明】
【００４７】
１        表示装置
１０      表示板
１１      意匠
１１ａ    目盛部
１１ｂ    文字部
１１ｃ    警告灯シンボル部
２０      指針
２０ａ    回転軸
２０ｂ    回転中心部
２０ｃ    指示部
２０ｅ    受光面
３０      目盛・文字部照明用光源
３１      指針用光源
３２      警告灯シンボル部用光源
４０      回路基板
４１      表面
４２      コーティング層
４３      インク層
５０      駆動部
５０ａ    回転軸
６０      ケース（中ケース）
６０ａ    筒状部
６０ｂ    内遮光壁
６０ｃ    外遮光壁
６０ｄ    反射面
６１      照明空間
６２      導光空間
６５      遮光部材
６５ａ    第１の反射面
６５ｂ    凸状部
６５ｃ    円板部
６５ｄ    反射面
６５ｅ    傾斜面
６５ｆ    傾斜面
６５ｇ    遮光部
６６      第２の穴
６７      第１の穴
６８      連結部
【図１】
2018044832.tif 000003
【図２】
2018044832.tif 000004
【図３】
2018044832.tif 000005
【図４】
2018044832.tif 000006
【図５】
2018044832.tif 000007
【図６】
2018044832.tif 000008